(57)【要約】【課題】器具全体の長さに占める発光領域の割合を大きくできる。【解決手段】実施形態の照明器具は、筒状の金属ケースと、金属ケースの表面に接して取り付けられた基板と、基板上に搭載された複数の発光素子とを有する発光モジュールと、金属ケースおよび発光モジュールを覆う筒状の樹脂カバーと、樹脂カバーの開口端に装着された樹脂製のキャップであって、開口端よりも内側の金属ケース内に突出する筒部を有するキャップと、キャップの筒部内に収容されたコネクタと、を備えている。【選択図】図３
2017204336.tif 000002
【特許請求の範囲】
【請求項１】
第１方向に延びる筒状の金属ケースと、
前記金属ケースの表面に接して取り付けられた基板と、前記基板上に搭載された複数の発光素子と、を有する発光モジュールと、
前記第１方向に延び、前記金属ケースおよび前記発光モジュールを覆う筒状の光透過性を有する樹脂カバーであって、前記第１方向の一方の端に第１開口端を、前記第１方向の他方の端に第２開口端を有する樹脂カバーと、
前記第１開口端に装着された樹脂製の第１キャップであって、前記第１開口端よりも内側の前記金属ケース内に突出する第１筒部を有する第１キャップと、
前記第２開口端に装着された樹脂製の第２キャップであって、前記第２開口端よりも内側の前記金属ケース内に突出する第２筒部を有する第２キャップと、
前記発光モジュールと電気的に接続されたコネクタであって、前記第１キャップの前記第１筒部内および前記第２キャップの前記第２筒部内に収容されたコネクタと、
を備えた照明器具。
【請求項２】
前記発光モジュールと、前記第１キャップの前記第１筒部とは前記金属ケースを挟んで重なっており、
前記発光モジュールと、前記第２キャップの前記第２筒部とは前記金属ケースを挟んで重なっている請求項１記載の照明器具。
【請求項３】
前記第１方向に連結された複数の請求項１記載の照明器具を備えた照明装置であって、
前記第１キャップは凸部を有し、前記第２キャップは凹部を有し、
前記第１方向で隣接する２つの照明器具のうちの一方の照明器具の前記第１キャップの前記凸部と、他方の照明器具の前記第２キャップの前記凹部とが嵌合している照明装置。
【請求項４】
前記複数の発光素子は、第１間隔で前記第１方向に並んだ第１グループの複数の発光素子と、前記照明器具の前記第１方向の端で、前記第１間隔よりも狭い第２間隔で近接配置された第２グループの複数の発光素子とを有する請求項３記載の照明装置。
【発明の詳細な説明】
【技術分野】
【０００１】
本発明の実施形態は、照明器具および照明装置に関する。
【背景技術】
【０００２】
例えば屋外で壁などを照らして間接照明効果を与えるライン照明器具がある。
【先行技術文献】
【特許文献】
【０００３】
【特許文献１】特開２０１１−１０８４９６号公報
【発明の概要】
【発明が解決しようとする課題】
【０００４】
実施形態によれば、器具全体の長さに占める発光領域の割合を大きくできる照明器具および照明装置を提供する。
【課題を解決するための手段】
【０００５】
実施形態の照明器具は、第１方向に延びる筒状の金属ケースと、前記金属ケースの表面に接して取り付けられた基板と、前記基板上に搭載された複数の発光素子と、を有する発光モジュールと、前記第１方向に延び、前記金属ケースおよび前記発光モジュールを覆う筒状の光透過性を有する樹脂カバーであって、前記第１方向の一方の端に第１開口端を、前記第１方向の他方の端に第２開口端を有する樹脂カバーと、前記第１開口端に装着された樹脂製の第１キャップであって、前記第１開口端よりも内側の前記金属ケース内に突出する第１筒部を有する第１キャップと、前記第２開口端に装着された樹脂製の第２キャップであって、前記第２開口端よりも内側の前記金属ケース内に突出する第２筒部を有する第２キャップと、前記発光モジュールと電気的に接続されたコネクタであって、前記第１キャップの前記第１筒部内および前記第２キャップの前記第２筒部内に収容されたコネクタと、を備えている。
【発明の効果】
【０００６】
実施形態によれば、長手方向にシームレスな均一発光が実現可能となる。
【図面の簡単な説明】
【０００７】
【図１】実施形態の照明器具の外観斜視図。
【図２】実施形態の照明器具の外観斜視図。
【図３】実施形態の照明器具の分解斜視図。
【図４】実施形態の照明器具の分解斜視図。
【図５】実施形態の金属ケースの内部を示す斜視図。
【図６】実施形態の金属ケースおよび発光モジュールの斜視図。
【図７】図６の一部分の拡大斜視図。
【図８】実施形態の金属ケースの一部分の拡大斜視図。
【図９】（ａ）は実施形態の第１キャップの端面図であり、（ｂ）は実施形態の第２キャップの端面図。
【図１０】実施形態の照明器具の一方の端部の断面図。
【図１１】実施形態の照明器具の他方の端部の断面図。
【図１２】実施形態の照明装置の正面図。
【図１３】実施形態の照明装置における連結部の一部断面斜視図。
【図１４】実施形態の照明装置における連結部の断面図。
【図１５】実施形態の照明器具の端部の拡大斜視図。
【発明を実施するための形態】
【０００８】
以下、図面を参照し、実施形態について説明する。なお、各図面中、同じ要素には同じ符号を付している。
【０００９】
図１は、実施形態の照明器具１の外観斜視図である。  
図２は、図１とは別の方向から見た照明器具１の外観斜視図である。
【００１０】
実施形態の照明器具１は、第１方向に延びる、いわゆるライン照明である。ここで、第１方向は、照明器具１の長手方向を表す。
【００１１】
図３は、照明器具１の分解斜視図である。  
図４は、図３とは別の方向から見た照明器具１の分解斜視図である。
【００１２】
照明器具１は、金属ケース１０と、発光モジュール２０と、電源モジュール７０と、樹脂カバー３０と、第１キャップ４０と、第２キャップ６０とを有する。
【００１３】
まず、金属ケース１０について説明する。
【００１４】
図３に示すように、金属ケース１０は、第１方向（照明器具１の長手方向）に延びる筒状に形成されている。金属ケース１０の長手方向の両端は開口している。金属ケース１０は金属板により形成されている。
【００１５】
金属ケース１０は、ケース本体部１１と、光源取付部１２とを有する。光源取付部１２は、ケース本体部１１に対して例えばネジ止めされる。実施形態では、ケース本体部１１と光源取付部１２とは別体として説明するが、ケース本体部１１と光源取付部１２とは一体形成でもよい。
【００１６】
図５は、金属ケース１０において光源取付部１２を取り外した状態を示す。
【００１７】
ケース本体部１１の内側には、金具１４、１５、１６が取り付けられている。金具１４、１５、１６は、ケース本体部１１に対して例えばネジ止めされている。金具１４、１５、１６は、ケース本体部１１を補強する。
【００１８】
ケース本体部１１の長手方向の端部に設けられた金具１４、１５は、後述するように、キャップ４０、６０がネジ止めされるキャップ取付部として機能する。
【００１９】
また、ケース本体部１１の内側には、電源モジュール７０が収容されている。電源モジュール７０は、シャーシ７１を介してケース本体部１１に取り付けられている。図５および図４には、ケース付きの電源モジュール７０が示されるが、電源モジュール７０はケースを備えなくてもよい。
【００２０】
次に、発光モジュール２０について説明する。
【００２１】
図６は、金属ケース１０および発光モジュール２０の斜視図である。
【００２２】
発光モジュール２０は、金属ケース１０の光源取付部１２上に取り付けられている。発光モジュール２０の長手方向の長さは、電源モジュール７０の長手方向の長さよりも長い。
【００２３】
発光モジュール２０は、基板２１と発光素子２２とを有する。基板２１は、金属ケース１０の長手方向に沿って延びる矩形板状に形成されている。基板２１には図示しない配線パターンが形成され、複数の発光素子２２が基板２１上に搭載されて配線パターンと電気的に接続されている。基板２１は、例えばセラミック基板または樹脂基板である。
【００２４】
発光素子２２は、例えば、発光ダイオード（Light Emitting Diode：ＬＥＤ）である。発光素子２２は蛍光体層も含む。実施形態においては、例えば、青色光を発光するＬＥＤと、その青色光（励起光）を吸収して黄色光、緑色光、赤色光などに変換する蛍光体を含む蛍光体層との組み合わせにより、擬似的に白色や電球色などの光が得られる。
【００２５】
または、発光素子２２としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子などを用いることができる。
【００２６】
基板２１の裏面（発光素子２２が搭載された面の反対面）は、金属ケース１０の光源取付部１２に接している。
【００２７】
図８は、金属ケース１０の端部の拡大斜視図である。
【００２８】
光源取付部１２には複数の突起１３が一体に設けられている。光源取付部１２の一部に切り欠きが形成される。その切欠きの内側に残された部分を光源取付部１２の表面側に起こすように曲げることで、突起１３が形成される。
【００２９】
発光モジュール２０の基板２１は、光源取付部１２の表面に載せられている。そして、図７に示すように、突起１３を基板２１の表面に重なるようにひねる。突起１３は金属の板ばねのように機能し、基板２１を光源取付部１２に対して押しつける。複数の突起１３が光源取付部１２に設けられ、それら複数の突起１３によって基板２１は光源取付部１２に対して固定される。
【００３０】
複数の発光素子２２は、第１間隔で基板２１の長手方向に並んだ第１グループの複数の発光素子２２ａと、長手方向の端で、第１間隔よりも狭い第２間隔で近接配置された第２グループの複数の発光素子２２ｂとを有する。
【００３１】
第１グループの発光素子２２ａは、略一定間隔で長手方向に配列されている。第２グループは、例えば基板２１の幅方向（短手方向）に並んだ２つの発光素子２２ｂを含む。第２グループの発光素子２２ｂの配置密度は、第１グループの発光素子２２ａの配置密度よりも高い。
【００３２】
次に、樹脂カバー３０について説明する。
【００３３】
図１〜図４に示すように、樹脂カバー３０は、照明器具１の長手方向に延びる筒状に形成されている。樹脂カバー３０は、発光素子２２が発光する光に対する透過性をもつ。樹脂カバー３０の材料は、例えばアクリル樹脂である。
【００３４】
金属ケース１０および発光モジュール２０は樹脂カバー３０内に収容され、樹脂カバー３０は金属ケース１０および発光モジュール２０を覆う。
【００３５】
樹脂カバー３０において発光モジュール２０に対向する部分は、例えば凸面状に形成され、レンズ機能をもつ。
【００３６】
図４に示すように、樹脂カバー３０は長手方向の一方の端に第１開口端３１をもつ。図３に示すように、樹脂カバー３０は長手方向の他方の端に第２開口端３２をもつ。
【００３７】
第１開口端３１には第１キャップ４０が装着されている。第２開口端３２には第２キャップ６０が装着されている。第１キャップ４０および第２キャップ６０の材料は樹脂であり、例えばポリカーボネート樹脂である。
【００３８】
第１キャップ４０および第２キャップ６０は、発光素子２２が発光する光に対する透過性をもつ。第１キャップ４０および第２キャップ６０は、樹脂カバー３０内を外部環境に対して水密に遮断する封止を担う。
【００３９】
図９（ａ）は、第１キャップ４０の端面図である。  
図１０は、照明器具１において、第１キャップ４０が装着された側の端部の断面図である。
【００４０】
第１キャップ４０は、アウターキャップ部４１と、筒部４２とを有する。
【００４１】
図１０に示すように、アウターキャップ部４１は、樹脂ケース３０の端に嵌め込まれる。筒部４２は、アウターキャップ部４１から、第１開口端３１よりも内側の金属ケース１０内に突出している。
【００４２】
アウターキャップ部４１の内側には、複数のリング部４４が設けられている。リング部４４は山形の断面をもち、その頂部が樹脂カバー３０の端部の内周面に圧接している。この圧接部分は、樹脂カバー３０内への水分の浸入を防ぐ。
【００４３】
図１０に示すように、筒部４２の先端部が金具１４に対して重ねられ、それら両者はネジ１１０で締結されている。図９（ａ）に示すように、例えば筒部４２の先端部（底）の四隅が金具１４に対してネジ止めされている。
【００４４】
図９（ａ）および図１０に示すように、筒部４２の先端部にケーブルガイド４５が設けられている。そのケーブルガイド４５には、図９（ａ）に示すように例えば５つの貫通孔４６が形成されている。
【００４５】
図４および図１０に示すように、アウターキャップ部４１に、リング状のリブとして凸部４３が設けられている。凸部４３は、筒部４２の突出方向とは反対方向に突出している。リング状の凸部４３の内側には、筒部４２の内部空間が連続している。
【００４６】
図１０に示すように、筒部４２は金属ケース１０の内側に入っている。金属ケース１０の一つの側面を形成する光源取付部１２上に取り付けられた発光モジュール２０は、筒部４２に重なるように金属ケース１０の端まで延在している。すなわち、発光モジュール２０と、第１キャップ４０の筒部４２とは、金属ケース１０を挟んで重なっている。
【００４７】
図９（ｂ）は、第２キャップ６０の端面図である。  
図１１は、照明器具１において、第２キャップ６０が装着された側の端部の断面図である。
【００４８】
第２キャップ６０は、アウターキャップ部６１と、筒部６２とを有する。
【００４９】
図１１に示すように、アウターキャップ部６１は、樹脂ケース３０の端に嵌め込まれる。筒部６２は、アウターキャップ部６１から、第２開口端３２よりも内側の金属ケース１０内に突出している。
【００５０】
アウターキャップ部６１の内側には、複数のリング部６４が設けられている。リング部６４は山形の断面をもち、その頂部が樹脂カバー３０の端部の内周面に圧接している。この圧接部分は、樹脂カバー３０内への水分の浸入を防ぐ。
【００５１】
図１１に示すように、筒部６２の先端部が金具１５に対して重ねられ、それら両者はネジ１１０で締結されている。図９（ｂ）に示すように、例えば筒部６２の先端部（底）の四隅が金具１５に対してネジ止めされている。
【００５２】
図９（ｂ）および図１１に示すように、筒部６２の先端部にケーブルガイド６５が設けられている。そのケーブルガイド６５には、図９（ｂ）に示すように例えば５つの貫通孔６６が形成されている。
【００５３】
図３および図１１に示すように、アウターキャップ部６１に凹部６３が設けられている。凹部６３は、筒部６２の開口端の縁をリング状に囲んでいる。そのリング状の凹部６３の内側には、筒部６２の内部空間が連続している。
【００５４】
図１１に示すように、筒部６２は金属ケース１０の内側に入っている。金属ケース１０の一つの側面を形成する光源取付部１２上に取り付けられた発光モジュール２０は、筒部６２に重なるように金属ケース１０の端まで延在している。すなわち、発光モジュール２０と、第２キャップ６０の筒部６２とは、金属ケース１０を挟んで重なっている。
【００５５】
発光モジュール２０は、図示しないケーブル（電気接続線）を介して、電源モジュール７０と電気的に接続されている。電源モジュール７０は、図１４に示すケーブル（電気接続線）１３１を介してコネクタ１２１と電気的に接続されている。コネクタ１２１は、外部電源、または他の照明器具１の電源モジュール７０と接続される。
【００５６】
ケーブル１３１は、電源モジュール７０から、第１キャップ４０側および第２キャップ６０側にそれぞれ引き出される。
【００５７】
ケーブル１３１は、図９（ａ）に示す第１キャップ４０の貫通孔４６を通され、第１キャップ４０の筒部４２の内側に導かれる。その筒部４２内に導かれたケーブル１３１の一端はコネクタ１２１に接続される。そのコネクタ１２１は、第１キャップ４０の筒部４２内に収容することができる。
【００５８】
また、ケーブル１３１は、図９（ｂ）に示す第２キャップ６０の貫通孔６６を通され、第２キャップ６０の筒部６２の内側に導かれる。その筒部６２内に導かれたケーブル１３１の一端はコネクタ１２１に接続される。そのコネクタ１２１は、第２キャップ６０の筒部６２内に収容することができる。
【００５９】
以上説明した照明器具１は複数連結して、より長いライン照明を構成することができる。
【００６０】
図１２は、第１方向（長手方向）に連結された複数の照明器具１を備えた照明装置１００の正面図である。図１２では２つの照明器具１の連結を示すが、３以上の照明器具１を連結して照明装置１００を構成してもよい。
【００６１】
図１３は、照明装置１００における連結部の一部断面斜視図である。  
図１４は、照明装置１００における連結部の断面図である。
【００６２】
長手方向で隣接する２つの照明器具１のうちの一方の照明器具１の第１キャップ４０の凸部４３と、他方の照明器具１の第２キャップ６０の凹部６３とが嵌合することで、隣り合う２つの照明器具１が連結している。隣接する２つの照明器具１の樹脂カバー３０どうしの間には、第１キャップ４０と第２キャップ６０の組み合わせが介在される。
【００６３】
第１キャップ４０の凸部４３が第２キャップ６０の凹部６３の内側に嵌まり、第１キャップ４０のアウターキャップ部４１と第２キャップ６０のアウターキャップ部６１とが互いに重なる。
【００６４】
連結された第１キャップ４０内および第２キャップ６０内には、第１キャップ４０の筒部４２の内側の空間と、第２キャップ６０の筒部６２の内側の空間とが合わさった空間が形成される。その空間に、図１４に示すように、コネクタ１２１およびケーブル１３１が収まる。隣接する２つの照明器具１のコネクタ１２１どうしが連結される。
【００６５】
連結された複数の照明器具１のうち、最も端の照明器具１の第１キャップ４０（または第２キャップ６０）には、図１５に示すように、第３キャップ８０が装着される。ケーブル１３１は、第３キャップ８０に形成された貫通孔８０ａから照明器具１の外に導出され、外部電源などに接続される。
【００６６】
実施形態によれば、１つの照明器具１が、または複数の照明器具１が連結された状態で、例えば屋外の壁などに取り付けられる。壁などに取り付けられた照明器具１は壁面を照らし、間接照明効果を与える。
【００６７】
図１、図２に示す取付金具９０が壁側の取付部材に例えばネジ止めさる。樹脂カバー３０の側面に形成された溝に、バネ性をもつ取付金具９０を引っかけることで、照明器具１が壁などに取り付けられる。
【００６８】
以上説明した実施形態によれば、発光モジュール２０の基板２１が直接金属ケース１０に接触している。金属ケース１０が発光モジュール２０のヒートシンクとして機能し、発光モジュール２０の放熱性を向上できる。これは、発光モジュール１０の温度上昇を抑え、発光モジュール１０に高い信頼性を与える。
【００６９】
また、金属ケース１０は樹脂に比べて熱サイクルに伴う伸縮が小さい。その金属ケース１０に対して金具１４、１５を介して両端のキャップ４０、６０が取り付けられている。
【００７０】
図１０、１１に示すように、樹脂カバー３０の端と、キャップ４０、６０との間にはクリアランスｃがある。このクリアランスｃは、キャップ４０とキャップ６０との間での樹脂カバー３０の伸び縮みを許容（吸収）する。
【００７１】
一方、キャップ４０、６０は金属ケース１０に対して固定されているため、両端のキャップ４０、６０間の距離、すなわち照明器具１自体の長さの変動は抑えられる。
【００７２】
金属ケース１０の内部も含めた樹脂カバー３０の内部は、キャップ４０およびキャップ６０によって密封されている。キャップ４０およびキャップ６０は、樹脂カバー３０内への水分の浸入を防ぐ。
【００７３】
樹脂カバー３０の端部の側面の一部には、図３及び図４に示す貫通孔３０ａが形成され、その貫通孔３０ａには図４に示すフィルター１５０が貼り付けられている。このフィルター１５０は、空気を通し、水分を通さない。
【００７４】
発光モジュール２０の発光にともない樹脂カバー３０内の空気の温度が上昇し、樹脂カバー３０内の圧力が高まると、フィルター１５０を通じて樹脂カバー３０内の空気が照明器具１の外に排気される。
【００７５】
逆に、樹脂カバー３０内が常温に冷やされると、照明器具１の外部の空気はフィルター１５０を通じて樹脂カバー３０内に吸気される。このとき、フィルター１５０は水分の樹脂カバー３０内への吸い込みは阻止する。
【００７６】
また、実施形態によれば、キャップ４０、６０の一部（筒部４２、６２）を金属ケース１０内に入り込ませ、その筒部４２、６２内に図１４に示すようにコネクタ１２１を収容している。図１０及び図１１に示すように、金属ケース１０を挟んで、発光モジュール２０がコネクタ１２１の収容部分（筒部４２、６２）に対して重なるように金属ケース１０の端まで延在している。
【００７７】
このような構造は、照明器具１の外側に現れるキャップ４０、６０の部分（非発光領域）を短くすることを可能とする。逆に言えば、照明器具１全体の長さに占める発光領域の割合を大きくできる。特に、複数の照明器具１を連結した構成（図１２に示す照明装置１００）において、連結部の長さを短くして、連結部における明るさの低下を抑えることができる。これは、連結部も含めた照明装置１００全体で、長手方向にシームレスな均一発光を実現する。
【００７８】
さらに、実施形態によれば、図６及び図７に示すように、発光モジュール２０の端で発光素子２２の個数を増やしている、または発光素子２２の配置密度を高めている。すなわち、発光モジュール２０の端における発光量を、端以外の他の領域よりも増やすことができる。
【００７９】
このような構造も、発光素子２２が存在しない連結部における明るさの低下を抑え、照明装置１００全体で長手方向にシームレスな均一発光を実現する。
【００８０】
複数の照明器具１を連結するにあたっては、図１３及び図１４を参照して前述したように、第１キャップ４０の凸部４３と、第２キャップ６０の凹部６３とを嵌合させる。凸部４３は照明器具１の長手方向に沿って突出し、凹部６３は照明器具１の長手方向に沿ってくぼんでいる。そのため、複数の照明器具１をその長手方向に沿ってまっすぐに連結させることができる。このことも、長手方向での光のシームレスな均一発光に寄与する。
【００８１】
複数の照明器具１は、地面に対して水平な方向、または鉛直方向、または水平方向および鉛直方向に対して傾斜した斜め方向に沿って連結させた状態で、壁などに取り付けることができる。
【００８２】
複数の照明器具１を鉛直方向または斜め方向に取り付けた状態において、リング状のリブとして設けられた第１キャップ４０の凸部４３は、下側に位置するキャップの内側への水分の浸入をガードする。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１…照明器具、１０…金属ケース、２０…発光モジュール、２１…基板、２２…発光素子、３０…樹脂カバー、４０…第１キャップ、４２…筒部、４３…凸部、６０…第２キャップ、６２…筒部、６３…凹部、７０…電源モジュール、１００…照明装置
【図１】
2017204336.tif 000003
【図２】
2017204336.tif 000004
【図３】
2017204336.tif 000005
【図４】
2017204336.tif 000006
【図５】
2017204336.tif 000007
【図６】
2017204336.tif 000008
【図７】
2017204336.tif 000009
【図８】
2017204336.tif 000010
【図９】
2017204336.tif 000011
【図１０】
2017204336.tif 000012
【図１１】
2017204336.tif 000013
【図１２】
2017204336.tif 000014
【図１３】
2017204336.tif 000015
【図１４】
2017204336.tif 000016
【図１５】
2017204336.tif 000017